【手続補正書】
【提出日】平成18年11月7日(2006.11.7)
【手続補正１】
【補正対象書類名】明細書
【補正対象項目名】０００７
【補正方法】変更
【補正の内容】
【０００７】
次に本発明の実施例について図面を参照して説明する。
図１は実施例１のバッテリー２の斜視図、図２（Ａ）はバッテリー２の平面図、（Ｂ）は（Ａ）のＢ矢視図、（Ｃ）は（Ａ）のＣ矢視図、（Ｄ）は（Ａ）のＤ矢視図、図３（Ｅ）は図２（Ｄ）のＥ矢視図、（Ｆ）は（Ｅ）のＦ矢視図である。
図４（Ａ）はバッテリー２を前方から見た正面図、（Ｂ）は（Ａ）のＢ矢視図、（Ｃ）は（Ａ）のＣ矢視図である。
図５はバッテリー２を前方斜め上方から見た斜視図、図６はバッテリー２の上下を反転し斜め上方から見た斜視図である。
図７はバッテリー２の断面図である。
図８は上ケース１２の斜視図、図９は下ケース１４の斜視図である。
図１０はバッテリー２のコネクタ部分の断面図である。
図１１、図１２はケース１０を取り除いた電池セル４０部分の斜視図、図１３はケース１０を取り除いた電池セル４０部分の底面図、図１４はケース１０を取り除いた電池セル４０部分の平面図、図１５（Ａ）は図１３のＡ矢視図、（Ｂ）は図１３のＢ矢視図、図１６（Ａ）は図１４のＡ矢視図、（Ｂ）は図１４のＢ矢視図である。
図１７、図１８、図１９は電池セル４０が保持体５０に保持された状態を示す斜視図である。
図２０は電池セル４０、保持体５０、導電板６０の分解斜視図である。
図２１（Ａ）、（Ｂ）はプリント基板７０の斜視図である。
図２２は保持体５０の斜視図である。
図２３、図２４は導電板の斜視図、図２５は導電板６０と電池セル４０の溶接部分を示す斜視図、図２６（Ａ）、（Ｂ）は電池セル４０の斜視図である。
図２７、図２８はコネクタ３０の斜視図、図２９はコネクタ３０の分解斜視図、図３０はコネクタ３０の接続端子の斜視図、図３１はコネクタ３０の接続端子と相手側のコネクタの接片との接続の説明図である。
図３２は図９のＡ矢視図、図３３は図９のＢ矢視図である。
図３４は溶着前の上ケース１２と下ケース１４の合わせ部１２０１、１４０１の部分を示す説明図である。
図３５は溶着後の上ケース１２と下ケース１４の合わせ部１２０１、１４０１の部分を示す説明図である。
図３６は溶着治具２００の説明図、図３７は図３６の要部拡大図、図３８は図３６のＡ矢視図である。
なお、添付図面中、円筒面や曲面、傾斜面を表すために、部材や部分の表面に複数の直線や曲線を描いた図面も存在している。
【手続補正２】
【補正対象書類名】明細書
【補正対象項目名】０００９
【補正方法】変更
【補正の内容】
【０００９】
下ケース１４は、電池セル４０の厚さ方向の一方の面に臨む平面視長方形の下壁１０Ｄと、下壁１０Ｄの短辺から屈曲された前側壁１０Ａおよび後側壁１０Ｂと、下壁１０Ｄの長辺から屈曲された左右の側壁１０Ｅとを有している。
上ケース１２は、電池セル４０の厚さ方向の他方の面に臨む平面視長方形の上壁１０Ｃと、上壁１０Ｃの短辺から屈曲された前側壁１０Ａおよび後側壁１０Ｂと、上壁１０Ｃの長辺から屈曲された左右の側壁１０Ｅとを有している。
上ケース１２および下ケース１４の前側壁１０Ａには、コネクタ３０露出用の開口３２０６が形成され、この開口３２０６の周囲には、コネクタ３０を補強するためのコネクタ壁部３２が形成されている。
上ケース１２と下ケース１４の各合わせ部１２０１、１４０１は、それらの側壁１０Ａ、１０Ｂ、１０Ｅの先端で構成されている。
【手続補正３】
【補正対象書類名】明細書
【補正対象項目名】００１７
【補正方法】変更
【補正の内容】
【００１７】
図２０、図２２に示すように、第１側片５１は、第１電池セル４０Ａの外装缶４２の１つの側面４００６の全長にわたるように延在形成されている。
図１７、図２０に示すように、第１側片５１の表面には、プリント基板７０を取着するためのリブ５１０２が膨出形成され、このリブ５１０２を介してプリント基板７０が取着され、プリント基板７０は第１側片５１に沿って延在している。
図２０、図２１に示すように、プリント基板７０にはコネクタ３０が実装されており、プリント基板７０には、図２８に示すコネクタ３０の正極用の接片３４、負極用（グランド用）の接片３４、中点用の接片３４にそれぞれ導通する正極用の導通部７２、負極用の導通部７４、中点用の導通部７６が形成されている。
コネクタ３０は、図４に示すように、ケース１０の前壁１０Ａから開口３２０６を通して前方に突出して設けられ、本実施例ではコネクタ３０は、前壁１０Ａの幅方向の右側の端部寄りの箇所に幅方向に延在するように設けられている。
前壁１０Ａの厚さ方向におけるコネクタ３０の位置は、左右の側壁１０Ｅの突出壁１００２が上面１０Ｃまたは下面１０Ｄに臨む面を基準として決定されており、本実施例では、コネクタ部３０の厚さ方向における位置の基準となる面は、突出壁１００２が下面１０Ｄに臨む面１００２Ａである。
図４に示すように、コネクタ３０は、合成樹脂などの絶縁材料からなる端子構成用部材３６と、この端子構成用部材３６に組み込まれ電池セル４０に接続された接片部３３（図２８)とを有している。
【手続補正４】
【補正対象書類名】明細書
【補正対象項目名】００１８
【補正方法】変更
【補正の内容】
【００１８】
図２７〜図２９に示すように、端子構成用部材３６は、下壁１０Ｄ（図１０)に臨ませて配置される下面３６１０と、上壁１０Ｃ（図１０)に臨ませて配置される上面３６１２と、プリント基板７０に接合される背面３６１４と、ケース１０（図１０)の前方に臨む前面３６１６とを有している。
端子構成用部材３６の前面３６１６から下面３６１０にわたり幅方向に間隔をおき厚さ方向に延在する複数の溝３６０２が形成され、複数の溝３６０２は、図２７、図２９に示すように、上面３６１２にも開口され、上面３６１２においては前面３６１６および下面３６１０よりも大きな幅で開口されている。
また、図２９に示すように、複数の溝３６０２にそれぞれ接続するように、端子構成要部材３６の上面３６１２から背面３６１４にわたり凹部３６１８が形成されている。
【手続補正５】
【補正対象書類名】明細書
【補正対象項目名】００１９
【補正方法】変更
【補正の内容】
【００１９】
接片部３３は、前方および下方に開放された状態で前記幅方向に対向する一対の接片３４が前記幅方向に間隔をおいて複数並べられて構成され、本実施例では、複数の接片３４は、端子構成要部材３６の各溝３６０２の側面を構成するように配置されている。
一対の接片３４は、図２９、図３０、図３１に示すように、弾性を有する導電性材料からなる接片構成部材３５に一体に設けられている。
接片構成部材３５は、互いに向かい合う一対の接片３４と、一対の接片３４を接続する基部３５０２と、基部３５０２から延在する第１延在部３５０４と、第1延在部３５０４の先端から屈曲された第２延在部３５０６とを有している。
図２９に示すように、端子構成部材の一対の接片３４と基部３５０２は、端子構成用部材３６の上面３６１２から溝３６０２内に挿入され、これにより基部３５０２が溝３６０２に嵌め込まれ、第１延在部３５０４と第２延在部３５０６が端子構成用部材３６の上面３６１２および背面３６１４の凹部３６１８に挿入されて組み込まれる。
このように端子構成用部材３６に接片構成部材３５が取着されたコネクタ３０は、図２８に示すように、背面３６１４の凹部３６１８上に位置する第２延在部３５０６がプリント基板７０の導電部にはんだ付けされている。
なお、接片構成部材３５が端子構成用部材３６に組み込まれた状態で、第１延在部３５０４と第２延在部３５０６は、凹部３６１８の底面から隙間を空けた状態で配置されている。
したがって、図３１に示すようにコネクタ３０（図４）に相手側コネクタ８０が挿脱される際に、すなわち、コネクタ３０の一対の接片３４の間に相手側コネクタ８０の接片８２が挿抜される際に、コネクタ３０に加わった力が第１延在部３５０４の弾性力によって吸収され、第２延在部３５０６がプリント基板７０(図２８)へ半田付けされた箇所に力が掛からないようにしている。
このため、コネクタ３０をプリント基板７０へ実装する際の位置決め精度にばらつきが生じてもコネクタ３０やプリント基板７０に無理な力が掛かることを軽減する上で有利となる。
このことから、コネクタ３０をプリント基板７０へ実装する際の位置決め精度にばらつきが生じやすいリフロー半田付けを行う上で有利となる。リフロー半田付けでは、手半田によって半田付けを行うリード線が突出した占有スペースの大きなコネクタに比較して本実施例のように面実装が可能で占有スペースが小さいコネクタ３０を用いることができるので、プリント基板７０を小型化することができ、ひいては、バッテリー２の小型化を図る上で有利である。
【手続補正６】
【補正対象書類名】明細書
【補正対象項目名】００２０
【補正方法】変更
【補正の内容】
【００２０】
また、プリント基板７０には、図２１に示すように、制御回路を構成するＬＳＩや電子部品が実装されており、前記制御回路は、コネクタ３０のデータ通信用の接片３４を介して電子機器側の制御部との間でバッテリー２の特性や識別情報などのデータを送受信したり、各導通部７２、７４、７６を介して各電池セル４０の出力電圧や出力電流などを監視する機能を有している。
図１８、図２２に示すように、第２側片５２は、その一端が第１側片５１に連結されており、第１電池セル４０Ａの外装缶４２の側面４００６の全長にわたって延在し、かつ、第２電池セル４０Ｂの第４側片５４寄りの側面４００６まで延在するように形成され、第２側片５２の先端寄り箇所は第４側片５４の端部に連結されている。
第２側片５２には該第２側片５２の延在方向に間隔をおいて導電板６０(図２０)を係合させるための第２係合凹部５２０２と第３係合凹部５２０４が形成されている。
また、第１側片５１寄りの第２係合凹部５２０２には、第１電池セル４０Ａの正極端子４４を突出させるための開口５２０６が形成されている。なお、開口５２０６は、正極端子４４が嵌め込まれる大きさで形成されている。
【手続補正７】
【補正対象書類名】明細書
【補正対象項目名】００２３
【補正方法】変更
【補正の内容】
【００２３】
図１７、図２０に示すように、縁片５６は、４つの側片５１、５２、５３、５４の縁から突出し第１、第２電池セル４０Ａ、４０Ｂの下面４００４の縁寄りの箇所に当て付けられる幅で形成されている。
第４側片５４の縁から突出する縁片５６には、その延在方向の中間部に開口５６０４が形成されている。
さらに、第４側片５４の延在方向の中間部には、図２２に示すように、２つの電池セル４０の上面４００２の互いに隣合う縁にそれぞれ当て付けられる縁片５７が形成されている。
なお、縁片５６は、図２０に示すように、第１電池セル４０Ａの下面４００４においては、その４辺にわたって延在するように矩形枠状に形成されている。したがって、第１電池セル４０Ａの下面４００４は、４つの縁片５６の中央の開口５６０２からその４つの縁部を除いた部分が露出する。また、第２電池セル４０Ｂの下面４００４は、第３側片５３の縁片５６および第４側片５４の縁片５６以外の箇所が露出する。
すなわち、図１７に示すように、第１、第２電池セル４０Ａ、４０Ｂが保持体５０に収容された状態で、第１、第２電池セル４０Ａ、４０Ｂの上面４００２は縁片５７が当て付けられる箇所を除いた全ての部分が開放されており、また、下面４００４は縁片５６が存在するもののそれらの中央部分を露出させる切り欠きが形成されていることになり、充電時に電池セル４０が膨張した際にこの膨張を許容するように構成されている。
また、第１、第２電池セル４０Ａ、４０Ｂは、縁片５６が形成されていない保持体５０の箇所から第１、第２電池収容室５０Ａ、５０Ｂに対して装脱される。
【手続補正８】
【補正対象書類名】明細書
【補正対象項目名】００２４
【補正方法】変更
【補正の内容】
【００２４】
導電板６０は、図２０に示すように、電気的に直列に接続した２つの電池セル４０の正極端子４４とコネクタ３０とを接続する正極端子接続用薄板６０Ａと、電気的に直列に接続した２つの電池セル４０の負極端子４６とコネクタ３０とを接続する負極端子接続用薄板６０Ｂとで構成されている。
正極端子接続用薄板６０Ａおよび負極端子接続用薄板６０Ｂは共に導電材料で形成されている。
正極端子接続用薄板６０Ａは、第３側片５３が位置する側に配置される第１薄板６１および第２薄板６２と、第２側片５２が位置する側に配置される第３薄板６３で構成されている。
より詳細には、正極端子接続用薄板６０Ａは、図２０、図２３、図２４に示すように、第２電池セル４０Ｂの正極端子４４に接続される第１薄板６１と、この第１薄板６１に取着され第１電池セル４０Ａの負極端子４６に接続される第２薄板６２と、第１電池セル４０Ａの正極端子４４に接合されるとともにプリント基板７０の導電部７２に接続される第３薄板６３で構成されている。
第１薄板６１は、第４側片５４に接続する縁片５６上を通り第３側片５３に接続される縁片５６上を延在する延在部６１０２と、延在部６１０２の一端から屈曲され第２電池セル４０Ｂの正極端子４４に接合可能な２つの正極端子接合用屈曲部６１０４と、延在部６１０２の中間部から第２薄板６２上に屈曲される２つの薄板接合用屈曲部６１０６と、延在部６１０２の他端から屈曲されプリント基板７０の中点用の導電部７６に接続される導電部接合用屈曲部６１０８とを有している。
第１薄板６１の２つの正極端子接合用屈曲部６１０４のうちの１つは第２電池セル４０Ｂの正極端子４４に溶接により接合されている。
正極端子接合用屈曲部６１０４と薄板接合用屈曲部６１０６をそれぞれ２つ設けた理由は、組み立て時に一方の屈曲部のみを使用し、電池セル４０を交換した際に、上述の一方の屈曲部を切り離し、残りの他方の屈曲部を使用できるようにしたものである。
第１薄板６１の導電部接合用屈曲部６１０８は、溶接によりプリント基板７０の中点用の導電部７６に接合されている。これにより本実施例では、正極端子接続用薄板６０Ａの一部を利用し、２つの電池セル４０の互いに接続された正極端子４４と負極端子４６の接続部分の電位をプリント基板７０の導電部７６に供給し、プリント基板７０の前記制御回路によって２つの電池セル４０の出力電圧や出力電流を監視するようにしている。
【手続補正９】
【補正対象書類名】明細書
【補正対象項目名】００２５
【補正方法】変更
【補正の内容】
【００２５】
第２薄板６２は、図２０に示すように、その一部が第３側片５３が存在しない箇所で第１電池セル４０Ａの側面４００６上をその全長にわたって延在するとともに、残りの部分が第３側片５３上に延在し第３側片５３の第１係合凹部５３０４上に係合されて配置されている。
第２薄板６２は、図２４に示すように、２枚の金属製の薄板６２０２と、それら２枚の薄板６２０２の間に介在されたサーミスタ６２０４とで構成されている。本実施例ではサーミスタ６２０４はＰＴＣ（Ｐｏｓｉｔｉｖｅ  Ｔｅｍｐｅｒａｔｕｒｅ  Ｃｏｅｆｆｉｃｉｅｎｔ）サーミスタで構成されている。ＰＴＣサーミスタは、温度上昇に伴い抵抗値が増加する正特性を有するものであり、過大電流が流れると抵抗値が急激に増大して流れる電流を抑制することで電池セル４０およびバッテリー２が装着された電子機器を保護する機能を有している。
そして、図２０に示すように、２枚の金属製の薄板６２０２とサーミスタ６２０４とが重ね合わされた厚さの大きな部分は、第３側片５３が存在しない第１電池セル４０Ａの側面４００６上を延在し、第１側片５１寄りに位置する第２薄板６２の端部は、第１電池セル４０Ａの側面４００６に溶接により接合され、すなわち第１電池セル４０Ａの負極端子４６に接合されている。
また、第３側片５３の第１係合凹部５３０４に延在する第２薄板６２部分は、一枚の薄板６２０２のみにより構成され、この第２薄板６２部分は第１係合凹部５３０４に係合されている。
前記２つの薄板接合用屈曲部６１０６は、第１係合凹部５３０４に係合された第２薄板６２部分の上に重ね合わされ、その一方が溶接により第２薄板６２に接合されている。
本実施例では、第２薄板６２が第１係合凹部５３０４に係合された状態で、正極端子接続用薄板６０Ａを構成する第１薄板６１および第２薄板６２の位置決めがなされるように、すなわち、第３側片５３が当て付けられた外装缶４２の側面４００６に対して直交する方向の位置決めがなされるように構成され、これにより第１薄板６１および第２薄板６２の組み付けを簡単に行えるようにしている。
また、本実施例では、第２薄板６２が第１係合凹部５３０４に係合されその上に２つの薄板接合用屈曲部６１０６が重ね合わされた状態で、それら薄板接合用屈曲部６１０６の表面は、第１係合凹部５３０４が形成された箇所以外の第３側片５３の表面と同一面上に位置するか、あるいは、第３側片５３の表面よりも低い箇所に位置するように形成され、これにより保持体５０で保持され導電板６０が組みつけられた電池セル４０のユニットの小型化を図るようにしている。
【手続補正１０】
【補正対象書類名】明細書
【補正対象項目名】００２６
【補正方法】変更
【補正の内容】
【００２６】
図１２に示すように、第３薄板６３は、第２側片５２の第２係合凹部５２０２上でその全長にわたって延在し開口５２０６を覆うように配置された延在部６３０２と、延在部６３０２の一端から屈曲されプリント基板７０の正極用の導電部７２に接続される導電部接合用屈曲部６３０４とを有している。
第二係合凹部５２０２上において延在部６３０２はその延在方向の端部寄りの箇所が第１電池セル４０Ａの正極端子４４の端部寄りの箇所（第１側片５１から離れた側の正極端子４４の端部寄りの箇所）に溶接により接合されている。このように延在部６３０２を正極端子４４の端部寄りの箇所に接合する理由は、電池セル４０を交換した際に、その接合された部分を切り離し、延在部６３０２の新たな端部を正極端子４４の他方の端部寄りの箇所に接合できるようにしたものである。
本実施例では、第３薄板６３が第２係合凹部５２０２に係合された状態で、第３薄板６３の位置決めがなされるように、すなわち、第２側片５２が当て付けられた外装缶４２の側面４００６に対して直交する方向の第３薄板６３の位置決めがなされるように構成されている。
また、本実施例では、第３薄板６３が第２係合凹部５２０２に係合された状態で、その第３薄板６３の表面は、第２係合凹部５２０２が形成された箇所以外の第２側片５２の表面と同一面上に位置するか、あるいは、第２側片５２の表面よりも低い箇所に位置するように形成されている。
導電部接合用屈曲部６３０４は、プリント基板７０の正極用の導電部７２に溶接により接合されている。
これにより正極端子接続用薄板６０Ａによって、第２電池セル４０Ｂの正極端子４４と、第１電池セル４０Ａの負極端子４６と、第１電池セル４０Ａの正極端子４４と、コネクタ３０とが接続されることになる。
【手続補正１１】
【補正対象書類名】明細書
【補正対象項目名】００２７
【補正方法】変更
【補正の内容】
【００２７】
図１２、図２０に示すように、負極端子接続用薄板６０Ｂは、第２側片５２が位置する側に配置される第４薄板６４および第５薄板６５で構成されている。
より詳細には、負極端子接続用薄板６０Ｂは、第２電池セル４０Ｂの負極端子４６に接続される第４薄板６４と、この第４薄板６４に取着されプリント基板７０の導電部７４に接続される第５薄板６５で構成されている。
第４薄板６４は、その一部が第２電池セル４０Ｂの側面４００６上でその全長にわたって延在するとともに、残りの部分が第２側片５２上に延在し第２側片５２の第３係合凹部５２０４上に係合されて配置されている。
第４薄板６４は、第２薄板６２と同様に、図２３に示すように、２枚の金属製の薄板６４０２と、それら２枚の薄板６４０２の間に介在されたサーミスタ６４０４とで構成されている。本実施例ではサーミスタ６４０４は前述のサーミスタ６２０４と同様のＰＴＣサーミスタで構成されている。
そして、図１２に示すように、２枚の金属製の薄板６４０２とサーミスタ６４０４とが重ね合わされた厚さの大きな部分は、第２側片５２が存在しない第２電池セル４０Ｂの側面４００６上を延在し、第１側片５１から離れた側に位置する第４薄板６４の端部は、第２電池セル４０Ｂの側面４００６に溶接により接合され、すなわち第２電池セル４０Ｂの負極端子４６に接合されている。
また、第２側片５２の第３係合凹部５２０４に延在する第４薄板６４部分は、一枚の薄板６４０２のみにより構成され、この第４薄板６４部分は第３係合凹部５２０４に係合されている。
【手続補正１２】
【補正対象書類名】明細書
【補正対象項目名】００２８
【補正方法】変更
【補正の内容】
【００２８】
第５薄板６５は、図１２に示すように、第４側片５４に接続する縁片５６上を通り第２側片５２に接続される縁片５６上を延在する延在部６５０２と、延在部６５０２の一端から屈曲され第４薄板５４に接合可能な２つの薄板接合用屈曲部６５０４と、延在部６５０２の他端から屈曲されプリント基板７０の導電部７４に接続される導電部接合用屈曲部６５０６とを有している。
第５薄板６５の２つの薄板接合用屈曲部６５０４のうちの１つは、第３係合凹部５２０４上に位置する第４薄板６４部分に溶接により接合されている。
薄板接合用屈曲部６５０４を２つ設けた理由は、組み立て時に一方の屈曲部のみを使用し、電池セル４０を交換した際に、上述の一方の屈曲部を切り離し、残りの他方の屈曲部を使用できるようにしたものである。
第５薄板６５の導電部接合用屈曲部６５０６は、図１２、図２０に示すように、溶接によりプリント基板７０の導電部７４に接合されている。
本実施例では、第４薄板６４が第３係合凹部５２０４に係合された状態で、負極端子接続用薄板６０Ｂを構成する第４薄板６４および第５薄板６５の位置決めがなされるように、すなわち、第２側片５２が当て付けられた外装缶４２の側面４００６に対して直交する方向の位置決めがなされるように構成され、これにより第４薄板６４および第５薄板６５の組み付けを簡単に行えるようにしている。
また、本実施例では、第４薄板６４が第３係合凹部５２０４に係合されその上に２つの薄板接合用屈曲部６５０４が重ね合わされた状態で、それら薄板接合用屈曲部６５０４の表面は、第３係合凹部５２０４が形成された箇所以外の第２側片５２の表面と同一面上に位置するか、あるいは、第２側片５２の表面よりも低い箇所に位置するように形成され、これにより保持体５０で保持され導電板６０が組みつけられた電池セル４０のユニットの小型化を図るようにしている。
【手続補正１３】
【補正対象書類名】明細書
【補正対象項目名】００３０
【補正方法】変更
【補正の内容】
【００３０】
次にケース１０の組み立てについて説明する。
上ケース１２と下ケース１４は本実施例では超音波溶着により接合されており、まず、超音波溶着の際に用いる溶着治具２００から説明する。
図３６〜図３８に示すように、溶着治具２００は、受台２１０と、ホーン２２０と、２つのクランプ２３０とを備えている。
受台２１０は、下ケース１４の下壁が載置される平坦な載置面２１２を有している。
ホーン２２０は、上ケース１２の上壁のうち、幅方向の両側近傍に長さ方向に沿って当接する２つの平坦な当接面２２２を有し、当接面２２２から上ケース１２の上壁に超音波振動を与えるように構成されている。
各クランプ２３０は、上ケース１２の突出壁１００２に当接する当接面２３２を有している。図３８に示すように、当接面２３２は、突出壁１００２の長さ方向の中央部に当接する平坦部２３４と、平坦部２３４の両端に接続され平坦部２３４から離間するに従って突出壁１００２から離れる方向に湾曲した湾曲部２３６と、平坦部２３４と湾曲部２３６を接続する接続部２３８とを有している。
【手続補正１４】
【補正対象書類名】図面
【補正対象項目名】図７
【補正方法】変更
【補正の内容】
【図７】
2006173041.tif 000001
【手続補正１５】
【補正対象書類名】図面
【補正対象項目名】図１７
【補正方法】変更
【補正の内容】
【図１７】
2006173041.tif 000002
【手続補正１６】
【補正対象書類名】図面
【補正対象項目名】図２０
【補正方法】変更
【補正の内容】
【図２０】
2006173041.tif 000003